(57)【要約】【課題】本開示は、伝達機構周辺の部品を共通化できる洗濯機を提供する。【解決手段】本開示における洗濯機１００及び洗濯機２００は、水槽１０４と、水槽１０４の内部に回転自在に配設された洗濯兼脱水槽１０６と、洗濯兼脱水槽１０６の内底部に回転自在に配設された攪拌翼１０７と、伝達機構１４０を介して攪拌翼１０７及び／又は洗濯兼脱水槽１０６を回転駆動させるモータ１３０と、水槽１０４の内部と連通し、洗濯水を排出させる排水経路１１１と、排水経路１１１を開閉自在に遮断する排水弁１１２と、モータ１３０、伝達機構１４０、及び排水経路１１１が配置されており、水槽１０４の外底部に配設される保持部１２０と、を備える。伝達機構１４０は保持部１２０に対して複数の向きで取り付け可能に形成されている。これにより、仕様Ａにおける洗濯機１００と仕様Ｂにおける洗濯機２００とで、伝達機構１４０の向きを変えて取り付けることができる。【選択図】図１
2020178953.tif 000002
【特許請求の範囲】
【請求項１】
水槽と、前記水槽の内部に回転自在に配設された洗濯兼脱水槽と、前記洗濯兼脱水槽の内底部に回転自在に配設された攪拌翼と、伝達機構を介して前記攪拌翼及び／又は前記洗濯兼脱水槽を回転駆動させるモータと、前記水槽の内部と連通し、洗濯水を排出させる排水経路と、前記排水経路を開閉自在に遮断する排水弁と、前記モータ及び前記伝達機構が固定されており、前記水槽の外底部に配設される保持部と、を備え、
前記伝達機構は前記保持部に対して複数の向きで取り付け可能に形成されている、
洗濯機。
【請求項２】
前記伝達機構には、前記保持部に対して取り付け可能に形成された伝達機構固定部が複数設けられ、前記伝達機構固定部は点対称となるように配置されている、請求項１に記載の洗濯機。
【請求項３】
前記伝達機構は、所定長さの位置にレバー係合部が形成されたレバーを有し、
前記保持部又は前記水槽の外底部には、前記伝達機構から前記所定長さである仮想円に対する仮想接線上に切替用モータを取り付け可能とする切替用モータ固定部が形成されている、請求項１に記載の洗濯機。
【請求項４】
前記排水経路と前記切替用モータとを連結する中継部品を備え、
前記中継部品には前記レバー係合部と係合するための中継部品係合部が形成されている、請求項３に記載の洗濯機。
【請求項５】
前記切替用モータ固定部は、前記伝達機構の複数の取り付け向きに対応するように、複数の位置に形成されている、請求項３に記載の洗濯機。
【発明の詳細な説明】
【技術分野】
【０００１】
本開示は、洗濯機に関する。
【背景技術】
【０００２】
特許文献１は、水槽の下部にモータ等を保持する保持部品が取り付けられた縦型洗濯機を開示する。
【０００３】
特許文献１における縦型洗濯機は、水槽と、水槽の内部に回転自在に配設された洗濯兼脱水槽と、洗濯兼脱水槽の内底部に回転自在に配設された攪拌翼と、伝達機構を介して攪拌翼及び／又は洗濯兼脱水槽を回転駆動させるモータと、水槽の内部と連通し、洗濯水を排出させる排水経路と、排水経路を開閉自在に遮断する排水弁と、を備える。伝達機構及びモータは、水槽の外底部に配設される保持部に固定されている。排水経路及び排水弁は、水槽の外底部に固定されている。
【先行技術文献】
【特許文献】
【０００４】
【特許文献１】特開平９−２７６５８７号公報
【発明の概要】
【発明が解決しようとする課題】
【０００５】
本開示は、伝達機構周辺の部品を共通化できる洗濯機を提供する。
【課題を解決するための手段】
【０００６】
本開示における洗濯機は、水槽と、前記水槽の内部に回転自在に配設された洗濯兼脱水槽と、前記洗濯兼脱水槽の内底部に回転自在に配設された攪拌翼と、伝達機構を介して前記攪拌翼及び／又は前記洗濯兼脱水槽を回転駆動させるモータと、前記水槽の内部と連通し、洗濯水を排出させる排水経路と、前記排水経路を開閉自在に遮断する排水弁と、前記モータ及び前記伝達機構が固定されており、前記水槽の外底部に配設される保持部と、を備える。前記伝達機構は前記保持部に対して複数の向きで取り付け可能に形成されている。
【発明の効果】
【０００７】
本開示における洗濯機は、伝達機構周辺の部品を共通化できる。
【図面の簡単な説明】
【０００８】
【図１】実施の形態１における洗濯機の縦断面図
【図２】同洗濯機の保持部を示す模式図
【図３】同洗濯機の仕様Ａにおける部品取り付け後の水槽を下から見た外観下面図
【図４】同洗濯機の仕様Ａにおける部品取り付け後の保持部を示す模式図
【図５】同洗濯機の仕様Ｂにおける部品取り付け後の保持部を示す模式図
【発明を実施するための形態】
【０００９】
以下、図面を参照しながら、実施の形態を詳細に説明する。なお、添付図面および以下の説明によって本発明が限定されるものではない。
【００１０】
（実施の形態１）
（洗濯機の基本構成）
図１は、実施の形態１における洗濯機の縦断面図である。
【００１１】
図１に示すように、洗濯機１００は、外枠１０１と、上部枠体１０２と、を備えている。上部枠体１０２は、外枠１０１の上部に固定されており、略中央に洗濯物投入口（図示せず）が開口するように形成されている。蓋１０３は、上部枠体１０２の上部に配設され、洗濯物投入口を覆うように開閉自在に設けられている。
【００１２】
外枠１０１の内部には、有底円筒状に形成された水槽１０４がサスペンション１０５により弾性支持されている。水槽１０４の内部には、洗濯兼脱水槽１０６が回転自在に保持されている。洗濯兼脱水槽１０６の側壁には多数の脱水孔１０９が形成されており、洗濯水を洗濯兼脱水槽１０６の内外に通過させる。洗濯兼脱水槽１０６の上方位置には流体バランサ１０８が設けられており、脱水動作時の洗濯兼脱水槽１０６のガタツキを抑制する。洗濯兼脱水槽１０６の内底部には攪拌翼１０７が回転自在に設けられており、攪拌翼１０７が回転することにより洗濯兼脱水槽１０６の内部の洗濯物を攪拌できる。
【００１３】
水槽１０４の外底部には保持部１２０が取り付けられており、保持部１２０に固定された伝達機構１４０はモータ１３０と一体成型されている。保持部１２０とその周辺構成については後述する。伝達機構１４０の一部である洗濯兼脱水軸１４１は、攪拌翼１０７及び洗濯兼脱水槽１０６と接続されている。
【００１４】
伝達機構１４０には、伝達機構側レバー１４４が伝達機構１４０の本体部分から突出するように設けられており、伝達機構側レバー１４４の先端部分は、伝達機構１４０に設けられたクラッチ装置（図示せず）を切り替えるためのクラッチ切替用モータ１５０に連結している。
【００１５】
このクラッチ切替用モータ１５０を駆動することで、伝達機構側レバー１４４を動かし、クラッチ装置によりモータ１３０の駆動力の伝達先を切り替えることで、攪拌翼１０７を単独で回転させ、または、攪拌翼１０７及び洗濯兼脱水槽１０６を同時に回転させる。減速機構（図示せず）は、モータ１３０より伝達された回転駆動力を減速させ、ブレーキ機構（図示せず）は洗濯兼脱水軸１４１の回転を停止させる。
【００１６】
水槽１０４の外底部には、外枠１０１の外部と水槽１０４とを連通させる排水経路１１１が接続されている。排水経路１１１は、内部に排水弁１１２が設けられており、排水弁１１２が開放された状態で水槽１０４内の洗濯水を洗濯機１００の外へ排水する。
【００１７】
外枠１０１の背面には制御基板（図示せず）を内蔵した制御手段１１０が配設されている。制御基板は、モータ１３０や伝達機構１４０等を制御して一連の洗濯運転を実行させる。
【００１８】
（保持部の構造）
図２は、実施の形態１における洗濯機の保持部を示す模式図である、
図２に示すように、保持部１２０は、板状に形成された金属部品で形成されている。保持部１２０の略中央には、伝達機構１４０を取り付けられるように伝達機構固定孔１２３が複数形成されており、それぞれの伝達機構固定孔１２３は、伝達機構１４０の中心に対して点対称となるように配置されている。
【００１９】
仮想円Ｃは、伝達機構１４０から所定長さｒである位置を示している。後述する伝達機構側レバー係合部１４４ａは、伝達機構１４０が保持部１２０に取り付けられた状態で、仮想円Ｃ上に位置する。仮想接線Ｅは、仮想円Ｃの接線であり、伝達機構１４０が保持部１２０に取り付けられた状態における伝達機構側レバー係合部１４４ａの位置を通るよう
に設けられる。排水弁切替用モータ固定孔１２１及びクラッチ切替用モータ固定孔１２２は、仮想接線Ｅの近傍に形成されている。
【００２０】
保持部１２０は、仕様Ａ及び仕様Ｂの異なる仕様の洗濯機において、部品を取り付け可能に構成されている。以下、仕様Ａである洗濯機１００と、仕様Ｂである洗濯機２００について、部品取り付け後の保持部の構成を説明する。なお、洗濯機２００の基本構成は、前述の洗濯機１００の構成と同一とする。
【００２１】
（部品取り付け後の保持部の構成：仕様Ａ）
図３は、実施の形態１における洗濯機の仕様Ａにおける部品取り付け後の水槽を下から見た外観下面図、図４は、同洗濯機の仕様Ａにおける部品取り付け後の保持部を示す模式図である。
【００２２】
図３に示すように、仕様Ａにおける保持部１２０には、伝達機構１４０と、クラッチ切替用モータ１５０と、排水経路１１１と、排水弁切替用モータ１５２と、が取り付けられている。仕様Ａにおける洗濯機１００は、排水弁切替用モータ１５２とは別に、クラッチ装置を切り替えるためのクラッチ切替用モータ１５０を設けることで、排水弁１１２の開閉動作と、伝達機構１４０の駆動力の伝達先の切り替えを独立して行っている。
【００２３】
クラッチ切替用モータ１５０は、クラッチ切替用モータ固定孔１２２と対応するビス孔が形成されており、クラッチ切替用モータ固定孔１２２において保持部１２０にビス止めされている。一方、排水弁切替用モータ１５２は、排水弁切替用モータ固定孔１２１において保持部１２０にビス止めされている。
【００２４】
図４に示すように、伝達機構１４０の保持部１２０と当接する面には、外縁にフランジ１４５が形成されており、フランジ１４５には、伝達機構ビス締結部１４６が伝達機構固定孔１２３と対応するように形成されている。伝達機構１４０は、伝達機構ビス締結部１４６において保持部１２０にビス止めされている。
【００２５】
伝達機構側レバー１４４は、伝達機構１４０の本体部分から突出するように構成されており、伝達機構側レバー１４４の先端近傍には、本体部分を起点とした所定長さｒの位置に伝達機構側レバー係合部１４４ａが形成されている。伝達機構側レバー係合部１４４ａは、クラッチ切替用モータ側レバー１５０ａの先端近傍に設けられたクラッチ切替用モータ側レバー係合部１５０ｂと係合している。このように、伝達機構側レバー１４４は、クラッチ切替用モータ１５０に設けられたクラッチ切替用モータ側レバー１５０ａと連結されており、クラッチ切替用モータ１５０の動力により操作されて駆動力の伝達先を切り替える。
【００２６】
排水経路１１１は、洗濯機１００の背面側において保持部１２０に固定されている。排水経路１１１の内部に設けられた排水弁１１２は、中継部品１５３を介して、排水弁切替用モータ１５２から突出する排水弁切替用モータ側レバー１５２ａと連結されている。排水弁切替用モータ１５２は、排水弁１１２を開閉駆動することで排水経路１１１の開閉状態を切り替える。中継部品１５３は、伝達機構１４０から距離ｒの位置に配置されており、伝達機構１４０と対向する面には、伝達機構側レバー係合部１４４ａと係合可能な中継部品係合部１５３ａが形成されている。
【００２７】
（部品取り付け後の保持部の構成：仕様Ｂ）
図５は、実施の形態１における洗濯機の仕様Ｂにおける部品取り付け後の保持部を示す模式図である、
図５に示すように、仕様Ｂにおける保持部１２０には、伝達機構１４０と、排水経路１
１１と、中継部品１５３と、排水弁切替用モータ１５２と、が取り付けられている。排水弁切替用モータ１５２は、排水弁切替用モータ固定孔１２１において保持部１２０にビス止めされている。仕様Ｂでは、伝達機構側レバー１４４が、中継部品１５３を介して排水弁切替用モータ側レバー１５２ａと連結されている。これにより、仕様Ｂにおける洗濯機２００は、排水弁切替用モータ１５２の駆動力を利用して、排水弁１１２の開閉動作と、伝達機構１４０の駆動力の伝達先の切り替えを同時に行っている。なお、クラッチ切替用モータ固定孔１２２は、使用しない状態となっている。
【００２８】
以下、仕様Ｂにおける保持部１２０の周辺構成を説明する。
【００２９】
保持部１２０の略中央には、洗濯兼脱水軸１４１が洗濯兼脱水槽１０６の中心に接続されるように、伝達機構１４０が配置されている。仕様Ｂにおける伝達機構１４０は、仕様Ａにおける伝達機構１４０から１８０度回転した位置で、伝達機構ビス締結部１４６において保持部１２０にビス止めされている。
【００３０】
前述のように、中継部品１５３は、伝達機構１４０と対向する面に中継部品係合部１５３ａが形成されており、伝達機構側レバー係合部１４４ａと係合可能となっている。仕様Ｂでは、伝達機構側レバー１４４を中継部品１５３側に向けることで、伝達機構側レバー係合部１４４ａと中継部品係合部１５３ａとを係合させている。これにより、排水弁切替用モータ１５２は、伝達機構側レバー１４４及び排水弁１１２の両方を同時に操作することができる。
【００３１】
このように、洗濯機２００は、洗濯機１００と共通部品である、保持部１２０、伝達機構１４０、排水弁切替用モータ１５２等を適用できるため、製造原価を低減できる。
【００３２】
以上のように構成された洗濯機１００及び洗濯機２００について、その洗浄方式を以下説明する。
【００３３】
（洗浄方法）
従来、縦型洗濯機の洗浄方式として、下記の二種類が知られている。
【００３４】
一種類目の洗浄方式は、攪拌翼１０７を回転駆動させることで、回転動作によって生じる水流と、攪拌翼１０７が洗濯物を直接動かす作用と、の両方で洗濯物を洗浄する方式である。一種類目の洗浄方式は、攪拌翼を備える洗濯機において一般的な洗浄方式である。
【００３５】
二種類目の洗浄方式は、水槽１０４に水を溜めた状態で洗濯兼脱水槽１０６及び攪拌翼１０７を回転させる方式である。この方式では、遠心力により洗濯物に洗濯水を通過させる作用と、遠心力で水槽１０４の内部を上昇した水流が水槽カバー１０４ａに当たり、洗濯兼脱水槽１０６の内部に散水されて洗濯物を洗浄する作用と、の両方で洗濯物を洗浄する。二種類目の洗浄方式は、攪拌翼１０７により洗濯物を動かさないため、洗濯物の生地が傷むことを抑制しつつ洗浄効果が得られ、デリケート素材の洗濯方法に適している。
【００３６】
洗濯機１００は、排水弁１１２の開閉動作と、伝達機構１４０の駆動力の伝達先の切り替えを独立して行えるため、排水弁１１２を閉じた状態で洗濯兼脱水槽１０６及び攪拌翼１０７を回転駆動させることができる。従って、洗濯機１００は、水槽１０４に水を溜めた状態で洗濯兼脱水槽１０６を回転できるため、二種類目の洗浄方式を実施できる。洗濯機１００は、一種類目の洗浄方式及び二種類目の洗浄方式の両方を実施可能なため、主に上位機種として製造される。
【００３７】
洗濯機２００は、排水弁切替用モータ１５２の駆動力により、排水弁１１２の開閉動作
と、伝達機構１４０の駆動力の伝達先の切り替えを同時に行っている。そのため、排水弁１１２を閉じた状態では洗濯兼脱水槽１０６を回転駆動できず、二種類目の洗浄方式を実施できない。洗濯機２００は、クラッチ切替用モータ１５０を設けないため、材料費を削減できる。
【００３８】
本開示における洗濯機１００及び洗濯機２００は、伝達機構１４０周辺の構成において部品の共通化が可能である。
【００３９】
（作用等）
以上のように、本実施の形態において、洗濯機１００及び洗濯機２００は、水槽１０４と、水槽１０４の内部に回転自在に配設された洗濯兼脱水槽１０６と、洗濯兼脱水槽１０６の内底部に回転自在に配設された攪拌翼１０７と、伝達機構１４０を介して攪拌翼１０７及び／又は洗濯兼脱水槽１０６を回転駆動させるモータ１３０と、水槽１０４の内部と連通し、洗濯水を排出させる排水経路１１１と、排水経路１１１を開閉自在に遮断する排水弁１１２と、モータ１３０、伝達機構１４０、及び排水経路１１１が配置されており、水槽１０４の外底部に配設される保持部１２０と、を備える。伝達機構１４０は保持部１２０に対して複数の向きで取り付け可能に形成されている。
【００４０】
これにより、伝達機構１４０の向きを変えて取り付けることで、仕様Ａ及び仕様Ｂの部品取り付け構成をそれぞれ取り付け可能としている。そのため、仕様Ａにおける洗濯機１００と仕様Ｂにおける洗濯機２００とで、部品を共通化できる。
【００４１】
本実施の形態のように、伝達機構１４０には、保持部１２０に対して取り付け可能に形成された伝達機構ビス締結部１４６が複数設けられ、伝達機構ビス締結部１４６は点対称となるように配置されていてもよい。
【００４２】
これにより、伝達機構１４０は、複数の向きにおいてビス止め可能となる。
【００４３】
本実施の形態のように、伝達機構１４０は、所定長さｒの位置に伝達機構側レバー係合部１４４ａが形成された伝達機構側レバー１４４を有し、保持部１２０又は水槽１０４の外底部には、伝達機構１４０から所定長さｒである仮想円Ｃに対する仮想接線Ｅ上に排水弁切替用モータ固定孔１２１及びクラッチ切替用モータ固定孔１２２が形成されていてもよい。
【００４４】
これにより、伝達機構１４０の向きを変えることで、クラッチ切替用モータ１５０又は排水弁切替用モータ１５２が、伝達機構側レバー１４４を操作できる。
【００４５】
本実施の形態のように、排水経路１１１と排水弁切替用モータ１５２とを連結する中継部品１５３を備え、中継部品１５３には伝達機構側レバー係合部１４４ａと係合するための中継部品係合部１５３ａが形成されていてもよい。
【００４６】
これにより、中継部品１５３を介して排水弁切替用モータ側レバー１５２ａと伝達機構側レバー１４４とを連結できる。そのため、洗濯機２００において、洗濯機１００と同一の排水弁切替用モータ１５２を採用することができる。
【００４７】
本実施の形態のように、切替用モータ固定部は、伝達機構１４０の複数の取り付け向きに対応するように、排水弁切替用モータ固定孔１２１とクラッチ切替用モータ固定孔１２２とが、それぞれの位置に形成されているようにしてもよい。
【００４８】
これにより、保持部１２０は、仕様Ａであっても仕様Ｂであっても切替用モータが固定
できる形状となる。
【００４９】
（他の実施の形態）
以上のように、本出願において開示する技術の例示として、実施の形態１及び２を説明した。しかしながら、本開示における技術は、これに限定されない。
【００５０】
そこで、以下、他の実施の形態を例示する。
【００５１】
実施の形態１では、洗濯機の一例として、縦型洗濯機である洗濯機１００を説明した。洗濯機は、筐体内に揺動自在に支持された水槽及び制御装置を備えていればよいので縦型洗濯機に限定されない。洗濯機は、二槽式洗濯機であってもよい。
【００５２】
実施の形態１では、伝達機構を介して攪拌翼及び／又は洗濯兼脱水槽を回転駆動させるモータの一例として、伝達機構１４０の下部に配設されたモータ１３０を説明した。モータは、伝達機構と接続されていればよいので、伝達機構１４０の下部に配設されたモータ１３０に限定されない。例えば、ベルト及びプーリを介して伝達機構と接続されるモータであってもよい。その場合、モータを保持部に固定する必要があるため、仕様Ｂにおける保持部の取り付け構成が望ましい。
【００５３】
実施の形態１では、保持部の一例として、伝達機構１４０、クラッチ切替用モータ１５０、排水経路１１１、排水弁切替用モータ１５２、等が配設された保持部１２０を説明した。保持部は、モータ及び伝達機構が固定されており、水槽の外底部に配設されていればよい。従って、伝達機構１４０、クラッチ切替用モータ１５０、排水経路１１１、排水弁切替用モータ１５２は、水槽１０４の外底部に直接固定されていてもよい。また、切替用モータ固定部として、排水弁切替用モータ固定孔１２１及びクラッチ切替用モータ固定孔１２２におけるビス止めを説明した。切替用モータ固定部は、仮想接線上において保持部又は水槽の外底部に切替用モータを取り付け可能とする構造であればよい。従って、排水弁切替用モータ固定孔１２１及びクラッチ切替用モータ固定孔１２２を水槽１０４の外底部に設けてもよいし、保持部１２０及び水槽１０４の両方に設けてもよい。
【００５４】
実施の形態１では、伝達機構固定部、切替用モータ固定部、等の固定方法の一例として、ビス止めを説明した。固定方法はビス止めに限定されるものではなく、爪嵌合等、他の固定手段を用いてもよい。
【００５５】
実施の形態１では、伝達機構の複数の向きで取り付け可能である構成として、１８０度反転させて取り付け可能である伝達機構１４０を説明した。伝達機構は、複数の向きで取り付け可能であればよいので、１８０度の向きに限定されるものではない。
【産業上の利用可能性】
【００５６】
本開示は、水槽の下方にモータを備えた洗濯機に適用可能である。具体的には、縦型洗濯機、二槽式洗濯機などに、本開示は適用可能である。
【符号の説明】
【００５７】
１００  洗濯機
１０１  外枠
１０２  上部枠体
１０３  蓋
１０４  水槽
１０４ａ  水槽カバー
１０５  サスペンション
１０６  洗濯兼脱水槽
１０７  攪拌翼
１０８  流体バランサ
１０９  脱水孔
１１０  制御手段
１１１  排水経路
１１２  排水弁
１２０  保持部
１２１  排水弁切替用モータ固定孔
１２２  クラッチ切替用モータ固定孔
１２３  伝達機構固定孔
１３０  モータ
１４０  伝達機構
１４１  洗濯兼脱水軸
１４４  伝達機構側レバー
１４４ａ  伝達機構側レバー係合部
１４５  フランジ
１４６  伝達機構ビス締結部
１５０  クラッチ切替用モータ
１５０ａ  クラッチ切替用モータ側レバー
１５０ｂ  クラッチ切替用モータ側レバー係合部
１５２  排水弁切替用モータ
１５２ａ  排水弁切替用モータ側レバー
１５３  中継部品
１５３ａ  中継部品係合部
２００  洗濯機
【図１】
2020178953.tif 000003
【図２】
2020178953.tif 000004
【図３】
2020178953.tif 000005
【図４】
2020178953.tif 000006
【図５】
2020178953.tif 000007